(57)【要約】【課題】  ラック等が準備されていなくても、荷物が載せられている状態で立体的に配置することができるパレットを提供する。【解決手段】  積載面１１を有するベースパレット１０と、ベースパレット１０の四隅にそれぞれ設けられ、ベースパレット１０の積載面１１に対して垂直な方向に伸びている４本の支柱２０と、４本の支柱２０のそれぞれの上端２１に設けられたパレット受け皿３０とを備えている。パレット受け皿３０は、積載面１１と平行な受け部３１と、この受け部３１の縁であって、他の支柱２０から遠い側の縁に、積載面１１に対して遠ざかる方向に伸びているフランジ部３２と、を有する。【選択図】  図４
2007045470.tif 000002
【特許請求の範囲】
【請求項１】
荷物が積載されるパレットにおいて、
荷物が載る矩形状の積載面を有するベースパレットと、
前記ベースパレットの四隅にそれぞれ設けられ、該ベースパレットの積載面に対して垂直な方向に伸びている４本の支柱と、
４本の前記支柱のそれぞれの上端に設けられたパレット受け皿と、
を備え、
４本の前記支柱のそれぞれに設けられた前記パレット受け皿は、互いに独立し、前記積載面と平行な受け面が形成されている受け部と、該受け部の縁であって、該パレット受け皿が設けられている支柱に隣り合っている支柱から遠い側の縁に、該積載面に対して遠ざかる方向に伸びているフランジ部と、を有する、
ことを特徴とするパレット。
【請求項２】
請求項１に記載のパレットにおいて、
前記支柱には、横梁取付部が設けられ、
前記横張取付部に着脱自在な被取付部を有する横梁を備えている、
ことを特徴とするパレット。
【請求項３】
請求項２に記載のパレットにおいて、
前記横梁取付部は、前記積載面に近づく方向に伸びている穴を有し、
前記横梁の前記被取付部は、該横梁が伸びている方向に対して垂直な方向に伸びて、前記穴に差し込まれる差込片を有する、
ことを特徴とするパレット。
【請求項４】
請求項２及び３のいずれか一項に記載のパレットにおいて、
前記支柱には、該支柱が伸びている方向に複数の前記横梁取付部が設けられている、
ことを特徴とするパレット。
【請求項５】
請求項１から４のいずれか一項に記載のパレットにおいて、
前記支柱の前記パレット受け皿が設けられている側とは反対側に設けられ、前記ベースパレットの四隅で前記積載面と該積載面と対向する該ベースパレットの裏面とのそれぞれに接する一対の接触片を有し、該一対の接触片で該ベースパレットの隅を挟み込む支柱被取付部を備えている、
ことを特徴とするパレット。
【請求項６】
矩形状の前記積載面と該積載面に対向した矩形状の裏面とを有するベースパレットの四隅に、それぞれ設けられ、該積載面に対して垂直な方向に伸びるパレット用支柱において、
一定の方向に伸びる支柱本体と、
前記支柱本体の両端部のうち、一方の端部に設けられたパレット受け皿と、
前記支柱本体の両端部のうち、他方の端部側に設けられ、前記ベースパレットの四隅で前記積載面と前記裏面とのそれぞれに接する一対の接触片を有し、該一対の接触片で該ベースパレットの隅を挟み込み、該積載面に対して該支柱本体が垂直な方向に伸びるように該支柱本体を該ベースパレットに取り付けるための支柱被取付部と、
を備え、
前記パレット受け皿は、前記支柱本体が伸びている方向に垂直な方向に広がっている受け面が形成されている受け部と、該受け部の縁であって、該支柱本体を基準にして前記一対の接触片によって前記ベースパレットが挟み込まれる側とは反対側の縁に、前記一方の端部から遠ざかる方向に伸びているフランジ部と、を有する、
ことを特徴とするパレット用支柱。
【請求項７】
請求項６に記載のパレット用支柱において、
前記支柱本体には、被取付部が設けられている横梁を取り付けるために、該被取付部が着脱自在な横梁取付部が設けられている、
ことを特徴とするパレット用支柱。
【請求項８】
請求項７に記載のパレット用支柱において、
前記横梁取付部は、前記支柱本体の前記他方の端部側に近づく方向に伸びている穴を有し、該穴は、該他方の端部に近づくに連れて開口面積が小さくなっている、
ことを特徴とするパレット用支柱。
【請求項９】
請求項７及び８のいずれか一項に記載のパレットにおいて、
前記支柱本体には、該支柱本体が伸びている方向に複数の前記横梁取付部が設けられている、
ことを特徴とするパレット用支柱。
【発明の詳細な説明】
【技術分野】
【０００１】
本発明は、荷物を載せるための搬送用のパレット、及びその支柱に関する。
【背景技術】
【０００２】
荷物を効率的に搬送するために、輸送会社等では、パレットを用いることが多い。荷物が載せられているパレットは、多くの場合、倉庫等に保管されている。倉庫に、荷物が載せられているパレットを保管する場合、出来る限り設置面積を小さくすることが望まれる。
【０００３】
そこで、例えば、以下の特許文献１に記載されているもののように、パレットの四隅に支柱を設け、この支柱に棚を取り付けて、この棚の上にさらにパレットを載せようというというものがある。つまり、この技術は、一つのパレットを基板として、パレット用ラックを構成し、このラックに複数のパレットを載せられるようにしたものである。
【０００４】
【特許文献１】特開２００３−４０２７０号公報
【発明の開示】
【発明が解決しようとする課題】
【０００５】
特許文献１に記載の技術では、倉庫内から荷物を他の場所に搬送する際には、ラックから、荷物が載っているパレットを取り出して、これを搬送先の場所へ搬送する。そして、搬送先では、同種のラックがない限り、荷物が載せられているパレットを平面的に配置することになる。
【０００６】
すなわち、特許文献１に記載の技術では、ラックが準備されていない場合には、荷物が載せられているパレットを立体的に配置することができないという問題点がある。
【０００７】
本発明は、このような従来技術の問題点に着目し、ラック等が準備されていなくても、荷物が載せられている状態で立体的に配置することができるパレット、パレット用支柱を提供することを目的とする。
【課題を解決するための手段】
【０００８】
前記問題点を解決するためのパレットに係る発明は、
荷物が積載されるパレットにおいて、
荷物が載る矩形状の積載面を有するベースパレットと、
前記ベースパレットの四隅にそれぞれ設けられ、該ベースパレットの積載面に対して垂直な方向に伸びている４本の支柱と、
４本の前記支柱のそれぞれの上端に設けられたパレット受け皿と、
を備え、
４本の前記支柱のそれぞれに設けられた前記パレット受け皿は、互いに独立し、前記積載面と平行な受け面が形成されている受け部と、該受け部の縁であって、該パレット受け皿が設けられている支柱に隣り合っている支柱から遠い側の縁に、該積載面に対して遠ざかる方向に伸びているフランジ部と、を有することを特徴とする。
【０００９】
また、前記問題点を解決するためのパレット用支柱は、
矩形状の前記積載面と該積載面に対向した矩形状の裏面とを有するベースパレットの四隅に、それぞれ設けられ、該積載面に対して垂直な方向に伸びるパレット用支柱において、
一定の方向に伸びる支柱本体と、
前記支柱本体の両端部のうち、一方の端部に設けられたパレット受け皿と、
前記支柱本体の両端部のうち、他方の端部側に設けられ、前記ベースパレットの四隅で前記積載面と前記裏面とのそれぞれに接する一対の接触片を有し、該一対の接触片で該ベースパレットの隅を挟み込み、該積載面に対して該支柱本体が垂直な方向に伸びるように該支柱本体を該ベースパレットに取り付けるための支柱被取付部と、
を備え、
前記パレット受け皿は、前記支柱本体が伸びている方向に垂直な方向に広がっている受け面が形成されている受け部と、該受け部の縁であって、該支柱本体を基準にして前記一対の接触片によって前記ベースパレットが挟み込まれる側とは反対側の縁に、前記一方の端部から遠ざかる方向に伸びているフランジ部と、を有することを特徴とする。
【発明の効果】
【００１０】
本発明では、ベースパレットの四隅に支柱が設けられ、これらの支柱の上端にパレット受け座が設けられているので、ベースパレット上に荷物が載っている状態でも、このパレットの上にさらにパレットを載せることができる。したがって、本発明によれば、ラック等が準備されていなくても、荷物が載せられている状態で立体的に配置することができる。
【発明を実施するための最良の形態】
【００１１】
以下、本発明に係るパレットの一実施形態について、図面を用いて説明する。
【００１２】
本実施形態のパレットは、図１〜図３に示すように、矩形状の積載面１１を有するベースパレット１０と、このベースパレット１０の四隅に設けられる支柱２０と、各支柱２０の一方の端部２１に設けられるパレット受け皿３０と、ベースパレット１０の積載面１１に対して垂直な方向に伸びている状態で各支柱２０をベースパレット１０の四隅の取り付けるための支柱被取付部４０と、各支柱２０の中胴部分相互を連結するための複数の横梁５０と、を備えている。
【００１３】
ベースパレット１０は、断面が溝型又は矩形型の梁材１５と、複数の梁材１５を互いに平行になるように連結するための連結材１６とを有して構成されている。このベースパレット１０は、厚みを持った矩形状を成しており、この厚み方向の一方の面が、荷物が載る積載面１１を成し、他方の面が裏面１２を成す。
【００１４】
支柱２０は、図４に示すように、断面がＬ型のアングル材で形成され、その一方の端部２１に前述のパレット受け皿３０が設けられ、他方の端部２２側に前述の支柱被取付部４０が設けられている。
【００１５】
パレット受け皿３０は、支柱２０が伸びている方向に垂直な方向に広がっている矩形状の受け面が形成されている受け部３１と、矩形の受け部３１の縁に設けられているフランジ部３２と、を有している。このフランジ部３２は、矩形の受け部３１の４つの辺のうち、このパレット受け皿３０が設けられている支柱２０と隣り合っている他の支柱２０に対して遠い側の２つの辺に設けられている。また、このブランジ部３２は、この支柱２０の前記他方の端部２２から遠ざかる方向に伸びている。支柱被取付部４０は、ベースパレット１０の四隅の積載面１１及び裏面１２にそれぞれ接触する一対の接触片４１,４２を有している。一対の接触片４１,４２は、いずれも、この一対の接触片４１,４２が設けられている支柱２０と隣り合っている他の支柱２０に近づく方向に広がっている。一対の接触片４１,４２の相互間隔は、ベースパレット１０の厚さに対応している。一対の接触片４１,４２は、ベースパレット１０の隅を挟みこんだ状態で、ベースパレット１０の隅に溶着されている。なお、ここでは、支柱２０をベースパレット１０に固定するために、支柱被取付部４０の一対の接触片４１，４２をベースパレット１０に溶着しているが、ベースパレット１０に対して支柱２０が取り外しできるように、一対の接触片４１，４２及びベースパレット１０の隅を貫通するボルト等を用いて、支柱２０をベースパレット１０に固定するようにしてもよい。
【００１６】
支柱２０には、図１〜図３に示すように、横梁取付部２５が設けられ、ここに横梁５０の被取付部５１が着脱自在に嵌め込まれている。横梁取付部２５は、図５に示すように、支柱２０が伸びている方向に伸びる穴２６を有している。この穴２６の幅は、ベースパレットに近づくに連れて次第に小さくなるように形成されている。また、横梁５０の被取付部５１は、図６に示すように、横梁５０が伸びている方向に対して垂直な方向に伸びて、横梁取付部２５の穴２６に差し込まれる差込片５２を有する。この差込片５２の幅も、ベースパレットに近づくに連れて次第に小さくなるように形成されている。横梁５０は、図７に示すように、横梁取付部２５の穴２６に、横梁２０の差込片５２を嵌め込むことで、支柱２０に取り付けられる。なお、この実施形態では、横梁５０が支柱２０に取付け取外し可能であるが、溶接等で横梁５０を支柱２０に固定してしまってもよい。但し、前述したように、支柱２０をベースパレット１０にボルト等で固定し、ベースパレット１０から支柱２０を取外すことができるような場合には、横梁５０も、本実施形態のように支柱２０から取外せるようにしておくことが好ましい。
【００１７】
本実施形態のパレットには、図４に示すように、このパレットの４つのパレット受け皿３０上に、他のパレットのベースパレット１０を置くことで、ラック等が準備されていなくても、パレット１０，１０を立体的に配置することができる。また、パレット受け皿３０には、フランジ部３１が形成されているので、地震等があっても、上のパレットが下のパレットに対してズレることを防ぐことができる。さらに、横梁５０が設けられているため、パレット内の荷物がパレットから落下するのを防ぐことができると共に、支柱２０を有するパレットの剛性を高めることもできる。
【００１８】
なお、本実施形態では、ベースパレット１０の四隅にそれぞれ支柱２０を設け、その上端２１にパレット受け皿３０を設けたが、矩形状のベースパレット１０の長辺が短辺に対して比較的長い場合には、長辺の中間部分にも支柱を設け、この支柱にもパレット受け皿を設けてもよい。すなわち、本発明は、支柱１０及びパレット受け皿３０のそれぞれが４つである必要はなく、これ以上であってもよい。
【図面の簡単な説明】
【００１９】
【図１】本発明に係る一実施形態におけるパレットの正面図である。
【図２】本発明に係る一実施形態におけるパレットの平面図である。
【図３】本発明に係る一実施形態におけるパレットの側面図である。
【図４】本発明に係る一実施形態における支柱、パレット受け皿、支柱被取付部の斜視図である。
【図５】本発明に係る一実施形態における横梁取付部を示す図で、同図（ａ）がその平面図で、同図（ｂ）がその正面図である。
【図６】本発明に係る一実施形態における横梁取付部と横梁との関係を示す説明図（横梁の取付け前）である。
【図７】本発明に係る一実施形態における横梁取付部と横梁との関係を示す説明図（横梁の取付け後）である。
【符号の説明】
【００２０】
１０：ベースパレット、１１：積載面、１２：裏面、２０：支柱、２１：支柱の一方の端部、２２：支柱の他方の端部、２５：横梁取付部、２６：横梁取付部の穴、３０：パレット受け皿、３１：受け部、３２：フランジ部、４０：支柱被取付部、４１，４２：接触片、５０：横梁、５１：横梁の被取付部
【図１】
2007045470.tif 000003
【図２】
2007045470.tif 000004
【図３】
2007045470.tif 000005
【図４】
2007045470.tif 000006
【図５】
2007045470.tif 000007
【図６】
2007045470.tif 000008
【図７】
2007045470.tif 000009